(57)【要約】【課題】ポップアップした部材が筐体保持の邪魔にならないようにすることができる。【解決手段】被写体を撮影する撮影部を備える筐体４と、前記筐体内に収納され、前記筐体の上部にポップアップ可能な突出部材１２と、前記筐体において前記突出部材の近傍に配置され、前記突出部材がポップアップした場合において、操作者が前記筐体を保持する領域に突出する保持部材１４とを備える。【選択図】図１
2014048600.tif 000002
【特許請求の範囲】
【請求項１】
被写体を撮影する撮影部を備える筐体と、
前記筐体内に収納され、前記筐体の上部にポップアップ可能な突出部材と、
前記筐体において前記突出部材の近傍に配置され、前記突出部材がポップアップした場合において、操作者が前記筐体を保持する領域に突出する保持部材と
を備えることを特徴とする撮影装置。
【請求項２】
前記保持部材は、前記突出部材のポップアップに伴って前記突出部材がポップアップする方向とは異なる方向に突出することを特徴とする請求項１記載の撮影装置。
【請求項３】
前記突出部材を前記筐体内に収納した状態に維持する維持部材を備えることを特徴とする請求項２記載の撮影装置。
【請求項４】
前記突出部材は、前記被写体を照明するための照明光を発光する発光部であることを特徴とする請求項２または３記載の撮影装置。
【発明の詳細な説明】
【技術分野】
【０００１】
本発明は、撮影装置に関するものである。
【背景技術】
【０００２】
従来、ポップアップ式の内蔵フラッシュを備えたカメラが知られている（例えば、特許文献１参照）。
【先行技術文献】
【特許文献】
【０００３】
【特許文献１】特開平７−１８１５６６号公報
【発明の概要】
【発明が解決しようとする課題】
【０００４】
上述のカメラにおいては、内蔵フラッシュから射出される照明光が撮影レンズによって遮られないように、内蔵フラッシュが筐体上面の端部に配置されている。このため、内蔵フラッシュをポップアップさせた場合、内蔵フラッシュが筐体保持の邪魔になるという問題があった。
【０００５】
本発明の目的は、ポップアップした部材が筐体保持の邪魔にならない撮影装置を提供することである。
【課題を解決するための手段】
【０００６】
本発明の撮影装置は、被写体を撮影する撮影部を備える筐体と、前記筐体内に収納され、前記筐体の上部にポップアップ可能な突出部材と、前記筐体において前記突出部材の近傍に配置され、前記突出部材がポップアップした場合において、操作者が前記筐体を保持する領域に突出する保持部材とを備えることを特徴とする。
【発明の効果】
【０００７】
本発明の撮影装置によれば、ポップアップした部材が筐体保持の邪魔にならないようにすることができる。
【図面の簡単な説明】
【０００８】
【図１】実施の形態に係るデジタルカメラの前面を示す斜視図である。
【図２】実施の形態に係るデジタルカメラにおいてフラッシュ部をポップアップさせていない状態の筐体内部及び側面を示す図である。
【図３】実施の形態に係るデジタルカメラにおいてフラッシュ部をポップアップさせた状態の筐体内部及び側面を示す図である。
【図４】実施の形態に係るデジタルカメラにおいてフラッシュ部をポップアップさせた状態を示す図である。
【図５】実施の形態に係るデジタルカメラにおけるフラッシュ部のポップアップ前後の状態を示す図である。
【図６】実施の形態に係るデジタルカメラにおけるフラッシュ部のポップアップ前後の状態を示す図である。
【図７】実施の形態に係るデジタルカメラにおけるフラッシュ部のポップアップ前後の状態を示す図である。
【発明を実施するための形態】
【０００９】
以下、図面を参照して本発明の実施の形態に係る撮影装置について、デジタルカメラを例に説明する。図１（ａ）は、実施の形態に係るデジタルカメラの前面を示す斜視図である。デジタルカメラ２は、金属やプラスチックからなる筐体４を備え、筐体４の前面には、被写体光を図示しない撮像素子に導く撮影レンズ６が設けられている。また、筐体４の上面には、電源ボタン８、及びレリーズ指示を行うレリーズボタン１０が設けられている。
【００１０】
また、筐体４の内部には、被写体を照明する照明光を射出するフラッシュ部１２が収納されている。なお、フラッシュ部１２は、いわゆるポップアップ式の内蔵フラッシュであり、図１（ｂ）に示すように、筐体４の上側にポップアップさせた状態で使用される。
【００１１】
また、フラッシュ部１２の近傍である筐体４の側面の上部には、フラッシュ部１２がポップアップした時に操作者がデジタルカメラ２を保持するための保持部材１４が設けられている。なお、保持部材１４の具体的な動作や使用方法については後に詳しく説明する。また、筐体４の側面の保持部材１４よりも下側の位置には、図１（ｂ）に示すように、フラッシュ部１２をポップアップさせる操作を行う操作部材１６が設けられている。
【００１２】
図２（ａ）は、実施の形態に係るデジタルカメラ２においてフラッシュ部１２をポップアップさせていない状態における筐体４の内部を示す正面図であり、図２（ｂ）は、その側面図である。図２（ａ）に示すように、筐体４の内部にはフラッシュ部１２が収納されており、筐体４の側面には保持部材１４、及び操作部材１６が設けられている。また、筐体４の内部には、フラッシュ部１２を係止し、かつ、保持部材１４、及び操作部材１６を閉じた状態に維持するＬ字形状のロック部材１８が設けられている。
【００１３】
ここで、ロック部材１８は、Ｌ字形状の上側に位置する端部にフラッシュ部１２を係止する係止部１８ａを有し、Ｌ字形状の下側に位置する端部に保持部材１４に当接する当接部１８ｂを有している。また、ロック部材１８は、取付軸１８ｃにより筐体４の内部の所定の位置に取付けられており、取付軸１８ｃには、ロック部材１８を常時反時計回りの方向（図２（ａ）矢印Ａ参照）に付勢する図示しない付勢ばねが備えられている。
【００１４】
また、フラッシュ部１２の下部には、係止部１８ａと係合する係止部材１９、及びフラッシュ部１２を常時上向きに付勢する図示しないポップアップばねが設けられている。ここで、フラッシュ部１２は、係止部材１９が係止部１８ａと係合することにより、筐体４の内部に収納された状態の位置に係止される。
【００１５】
また、図２（ａ）、（ｂ）に示すように、保持部材１４の上側の端部には、保持部材１４を筐体４の側面壁２０に取付けるための取付軸１４ａが備えられ、操作部材１６の下側の端部には、操作部材１６を筐体４の側面壁２０に取付けるための取付軸１６ａが備えられている。ここで、取付軸１４ａには、保持部材１４を常時筐体４の外側方向（図２（ａ）矢印Ｂ参照）に付勢する図示しない付勢ばねが備えられている。一方、取付軸１６ａには、取付軸１４ａの付勢ばねよりも強い弾発力で常時筐体４の内側方向（図２（ａ）矢印Ｃ参照）に操作部材１６を付勢する図示しない付勢ばねが備えられている。
【００１６】
また、保持部材１４には、下側の端部に保持部材端部１４ｂが設けられており、保持部材端部１４ｂが筐体４の外側に開くように構成されている。また、操作部材１６には、上側の端部に操作部材端部１６ｂが設けられており、操作部材端部１６ｂが筐体４の外側に開くように構成されている。ここで、保持部材１４及び操作部材１６は、操作部材端部１６ｂが保持部材端部１４ｂに外側から覆い被さるようにして配置される。これにより、保持部材１４が付勢ばねの弾発力によって筐体４の外側に開くことが防止される。
【００１７】
また、保持部材１４は、保持部材端部１４ｂの内側の面が当接部１８ｂに当接し、保持部材端部１４ｂの外側の面が操作部材端部１６ｂの内側の面に当接するように配置される。これにより、操作部材１６の付勢ばねの弾発力によって保持部材１４及び操作部材１６が筐体４の内側に傾倒することが抑止され、保持部材１４及び操作部材１６が図２（ａ）、（ｂ）に示すように閉じた状態に維持される。
【００１８】
図３（ａ）は、実施の形態に係るデジタルカメラ２においてフラッシュ部１２をポップアップさせた状態における筐体４の内部を示す正面図であり、図３（ｂ）は、その側面図である。以下、図３（ａ）、（ｂ）を参照して、フラッシュ部１２をポップアップさせた場合の動作について説明する。まず、図３（ａ）に示すように、操作者が矢印Ｄの方向に操作部材１６を押し込むと、操作部材１６が取付軸１６ａ廻りに回動し、筐体４の内側に傾倒する。ここで、保持部材端部１４ｂの外側には先端部１６ａが覆い被さっているため（図２（ａ）、（ｂ）参照）、操作部材１６の傾倒に伴って保持部材１４が取付軸１４ａ廻りに回動し、筐体４の内側に傾倒する。そして、保持部材１４の傾倒に伴って保持部材端部１４ｂが筐体４の内側に移動することにより、保持部材端部１４ｂに当接している当接部１８ｂに矢印Ｄの方向の押圧力が作用し、ロック部材１８が取付軸１８ｃ廻りに時計廻りの方向（図３（ａ）矢印Ｅ参照）に回動する。
【００１９】
これにより、係止部材１９が係止部１８ａから外れ、フラッシュ部１２が係止された状態から解放される。そして、図３（ａ）、（ｂ）に示すように、フラッシュ部１２がポップアップばねの弾発力によって筐体４の上側にポップアップする。
【００２０】
また、保持部材１４の傾倒に伴って保持部材端部１４ｂが筐体４の内側の所定の位置まで移動すると、保持部材端部１４ｂが操作部材端部１６ｂから外れ、保持部材１４が操作部材１６によって抑えられた状態から解放される。そして、図３（ａ）、（ｂ）に示すように、保持部材１４が付勢ばねの弾発力によって筐体４の外側方向（図３（ａ）矢印Ｂ参照）に回動し、保持部材１４が開いた状態になる。なお、保持部材１４は、図示しないロック機構によって、閉じた状態（図２（ａ）参照）と略直交する角度に開いた状態に係止される。
【００２１】
図４（ａ）は、実施の形態に係るデジタルカメラ２の保持部材１４が開いた状態を示す正面図であり、図４（ｂ）は、その背面図である。フラッシュ部１２をポップアップさせた場合、操作者は、図４（ｂ）に示すように、保持部材１４を手で押さえてデジタルカメラ２を保持し、被写体の撮影を行う。
【００２２】
この実施の形態に係るデジタルカメラ２によれば、フラッシュ部１２をポップアップさせた場合、操作者はフラッシュ部１２の近傍に位置する保持部材１４を手で押さえてデジタルカメラ２を保持することができるため、ポップアップしたフラッシュ部１２が筐体保持の邪魔にならないようにすることができる。また、フラッシュ部１２をポップアップさせた状態で操作を行う場合に操作者がデジタルカメラ２を持ち易いようにすることができる。
【００２３】
また、ポップアップしたフラッシュ部１２を手で押さえることにより、フラッシュ部１２により照明光を正常に発光ができなくなるのを防止することができる。また、一つのロック部材１８によってフラッシュ部１２と保持部材１４とを係止することができるため、可動機構の部品点数を少なくすることができる。また、保持部材１４は、フラッシュ部１２の使用時以外には筐体４に対して閉じた状態になるため、フラッシュ部１２を使用しない時に操作の邪魔になることがなく、また、デジタルカメラ２の外観を損ねることもない。
【００２４】
なお、上述の実施の形態においては、フラッシュ部１２をポップアップさせた場合に保持部材１４が筐体４の外側の上方向に開く場合を例に説明しているが、保持部材１４の開き方は上述の例に限定されない。例えば、図５に示すように、フラッシュ部１２をポップアップさせた場合に保持部材１４が筐体４の外側の下方向に開くようにしてもよい。また、図６に示すように、フラッシュ部１２をポップアップさせた場合に保持部材１４が筐体４の外側にスライドし、筐体４の側面から突出するようにしてもよい。
【００２５】
また、上述の実施の形態において、図７に示すように、フラッシュ部１２が収納されている側の筐体４の側面壁２０を外側にスライドさせることができるようにしてもよい。そして、フラッシュ部１２をポップアップさせた場合に側面壁２０を外側にスライドさせて筐体４の横幅を広げるようにしてもよい。
【００２６】
また、上述の実施の形態においては、フラッシュ部１２がポップアップする場合を例に説明しているが、ポップアップする部材はフラッシュ部に限定されない。例えば、ポップアップ式のＧＰＳ装置を備え、ＧＰＳ装置がポップアップすると共に保持部材１４が開くようにしてもよい。
【００２７】
また、上述の実施の形態においては、操作者が操作部材１６を筐体４の内側に押し込むことによりフラッシュ部１２をポップアップさせ、保持部材１４を開く手動操作を例に説明しているが、操作は手動操作に限定されない。例えば、取付軸１８ｃ（図２（ａ）参照）を回動させる駆動部を備えてもよい。そして、レリーズ操作時の状況に応じて駆動部により取付軸１８ｃを介してロック部材１８を回動させ、フラッシュ部１２がポップアップすると共に保持部材１４が開くようにしてもよい。
【符号の説明】
【００２８】
２…デジタルカメラ、４…筐体、６…撮影レンズ、８…電源ボタン、１０…レリーズボタン、１２…フラッシュ部、１４…保持部材、１６…操作部材、１８…ロック部材
【図１】
2014048600.tif 000003
【図２】
2014048600.tif 000004
【図３】
2014048600.tif 000005
【図４】
2014048600.tif 000006
【図５】
2014048600.tif 000007
【図６】
2014048600.tif 000008
【図７】
2014048600.tif 000009